(57)【要約】  【課題】  ポールタイプの対面式計量装置であっても表示部を支える支柱により対面性が損なわれない対面式計量装置を提供する。  【解決手段】  商品の重量を計量する計量部Ａ１の上方に支柱２を介して計量内容を表示する表示部Ａ４が設けられた対面式計量装置において、前記支柱２を透明部材で構成した。【選択図】  図１
2005315796.tif 000002
【特許請求の範囲】
【請求項１】
商品の重量を計量する計量部の上方に支柱を介して計量内容を表示する表示部が設けられた対面式計量装置において、前記支柱を透明部材で構成したことを特徴とする対面式計量装置。
【請求項２】
前記透明部材からなる支柱に半透明の広告情報が付設され、該広告情報に向けて着色光線を照射する照射手段を前記支柱の外周縁近傍に設けたことを特徴とする請求項１記載の対面式計量装置。
【請求項３】
前記表示部が、表示情報を可変自在な透明表示器で構成されていることを特徴とする請求項１叉は２記載の対面式計量装置。
【請求項４】
前記透明部材からなる支柱が、表示情報を可変自在な透明表示器で構成されていることを特徴とする請求項３記載の対面式計量装置。
【請求項５】
前記透明部材からなる支柱が、透明な枠体に装着されていることを特徴とする請求項１乃至４のいずれか１項記載の対面式計量装置。
【請求項６】
前記計量部叉は表示部にデータを選択或いは入力する為の操作部を有し、該操作部での操作により出力された信号を検知する検知手段を有し、該検知手段により前記信号が検知された場合、前記照射手段からの照射を停止させ、前記検知手段により所定時間前記信号が検出されない場合、前記照射手段の照射を開始させる照射制御手段を有することを特徴とする請求項２記載の対面式計量装置。
【発明の詳細な説明】
【技術分野】
【０００１】
本発明はショーケース内に陳列した肉や惣菜等を量り売りする際に使用する対面式計量装置に関し、詳しくは重量や値段等を表示する表示部及び表示部を支持する支柱が、オペレータ（店員）とお客様の対向視線上に位置する対面式計量装置に関する。
【背景技術】
【０００２】
一般にスーパーマーケットや商店などで量り売りする時に使用される対面式計量装置は、計量部の上方にフレーム状の支柱を介して、例えば計量した商品の商品名、重量、単価、値段等を表示する表示部が設けられ、オペレータがショーケースを挟んでお客と対面する位置関係で計量作業を行う、所謂ポールタイプの対面式計量装置が知られている（例えば、特許文献１参照）。
【０００３】
しかしながら、特許文献１に示すようなポールタイプの対面式計量装置では、フレーム状の支柱によりお客とオペレータとの間が遮られてしまい、お客とオペレータとの対面性が悪くなるという問題を有していた。
叉、前記支柱が計量部の横幅の範囲内に位置して設けられている場合は、該支柱により計量部に載せられた商品を見るお客の視線が遮られることになり、計量部に載せられた商品の計量される状態をお客自身が十分に確認できないという問題を有していた。
【０００４】
【特許文献１】特開平８−２０１１５６号公報
【発明の開示】
【発明が解決しようとする課題】
【０００５】
本発明は上記した従来の技術が有する問題点に鑑みてなされたもので、その目的とするところは、ポールタイプの対面式計量装置であっても表示部を支える支柱により対面性が損なわれない対面式計量装置を提供することにある。
【課題を解決するための手段】
【０００６】
上記目的を達成する為に本発明が講じた技術的手段は、商品の重量を計量する計量部の上方に支柱を介して計量内容を表示する表示部が設けられた対面式計量装置において、前記支柱を透明部材で構成したことを特徴とする（請求項１）。
上記支柱は、計量装置本体の横幅範囲内に収まる幅に限らず、横幅より外側に張り出す大きさのものでもよい。叉、その支柱は直線形態に限らず、例えばＳ字状等に湾曲した形態としてもよい。更に、支柱の取付位置は、装置本体の幅方向の中央付近、或いは幅方向の何れか一方側に寄った位置等、何れでもよい。
叉、支柱を構成する透明部材としては、樹脂製透明板（例えば、アクリル板）、ガラス板等、その材質は問わない。
上記手段によれば、計量装置本体における計量部より上方に突出する支柱が透明部材で構成されているため、お客と店員との間に計量装置が配置されても、お客と店員の視線が前記支柱で遮られることはなく、お客と店員とのコミュニケーションが図られ、また、お客は計量部に乗せられて計量される商品を確実に見ることができるので、お客に安心感を与えることができる。
【０００７】
前記透明部材からなる支柱はそのままでもよいが、該支柱に透視を阻害しない程度の表示を施してもよい。
その表示の具体的構造として、例えば透明部材からなる支柱に半透明の広告情報を付設し、該広告情報に向けて着色光線を照射する照射手段を前記支柱の外周縁近傍に設ける（請求項２）。
上記手段によれば、透明部材に施された半透明の広告情報は着色光線の照射で着色されて目立つように強調され、支柱を広告媒体として利用することができる。
【０００８】
叉、前記支柱で支持する表示部は不透明部材で構成された表示器でもよいが、表示情報を可変自在な透明表示器で構成してもよい（請求項３）。透明表示器としては、例えば透明ＥＬ表示器、透明液晶表示器等、透明な表示板であればよい。
上記手段によれば、表示部も透明表示器で構成されることで、お客と店員の間が表示部で遮られることを解消でき、より一層対面性を高めることができる。
【０００９】
更に、前記透明部材からなる支柱は、表示情報を可変自在な透明表示器で構成してもよい（請求項４）。透明表示器としては、表示部と同様、透明ＥＬ表示器、透明液晶表示器等で構成することができる。
上記手段によれば、表示部及び支柱それぞれに多様な情報を表示することができるので、広告媒体としての利用範囲が拡大する。そして、表示部を透明部材で構成した場合は、計量部より上方に突出する支柱及び表示部の両方が透視可能となり、お客と店員との対面性を更に向上することができる。
【００１０】
また、前記透明部材からなる支柱は、平板状の支柱のみで構成されたものに限らず、平板状の支柱の周囲（左右側縁）を枠体で保護してもよく、その場合、前記枠体を透明部材で構成するとよい（請求項５）。
上記手段によれば、支柱が枠体で囲まれていてもその枠体が透明であることで、透明性が阻害されず、お客と店員との対面コミュニケーションが良好に確保される。
【００１１】
叉、前記支柱への照射手段を備えた計量装置において、計量部叉は表示部にデータを選択或いは入力する為の操作部を有し、該操作部での操作により出力された信号を検知する検知手段を有し、該検知手段により前記信号が検知された場合、前記照射手段からの照射を停止させ、前記検知手段により所定時間前記信号が検出されない場合、前記照射手段の照射を開始させる照射制御手段を設けることができる（請求項６）。
上記手段によれば、透明部材からなる支柱に施された広告情報は、操作部が操作されると半透明な広告情報に戻り、操作部が所定時間操作されないと、照射手段が照射を開始して前記広告情報を着色表示する。従って、計量装置が使用されていない時は支柱を広告媒体として利用し、操作部が操作されて計量等が行われている時は該支柱の広告情報は着色されずに半透明の表示のまま保持されて対面販売の準備が整い、お客と店員との対面性が確保される。
尚、本発明の対面式計量装置は、少なくとも計量部と表示部を備えているもので、表示部に表示したデータをラベル等に印字出力する印字部を備えた計量装置であってもよい。
【発明の効果】
【００１２】
本発明の対面式計量装置は請求項１記載の構成により、お客と店員が視線を合せる場合であっても、支柱により遮られることがないので対面性が増し、お客とのコミュニケーションを図ることができる。また、お客は計量部に載せられた商品を確実に見ることができるので、お客に安心感を与えることができる。
叉、請求項２記載の構成によれば、前記透明部材の支柱に半透明の広告情報が表示されても透視の妨げとはならず、しかもその広告情報は着色された光の照射により、着色されて目立つように強調される。従って、支柱を広告媒体として利用することができる。
【００１３】
そして、請求項３記載の構成によれば、支柱及び表示部の両方が透視可能となる為、店員とお客との間が不透明部材で遮られるのを解消でき、更に対面性を高めることができる。
また、請求項４記載の構成により、支柱及び表示部にそれぞれ多様な情報を表示することができ、広告媒体として幅広く利用することができる。
【００１４】
さらに、請求項５記載の構成によれば、支柱を囲む補強及び保護の為の枠体も透明部材で構成されていることで、透明性が枠体で損なわれることはなく、お客と店員とのコミュニケーションを良好に保つことができる。
また、請求項６記載の構成により、着色され強調された広告情報は操作部が操作されると半透明な広告情報に戻り、操作部が所定時間操作されないと、再び着色され強調された広告情報になるので、計量装置が使用されていない時は広告媒体として利用でき、操作部が操作されると半透明な表示になり、お客と店員との対面性を高めることができる。
【発明を実施するための最良の形態】
【００１５】
以下、本発明の実施の形態を、印字部を備えた計量装置について図面に基づいて説明する。
図１は、ポールタイプの対面式計量装置Ａが小売店などのショーケース上に置かれた状態を示す外観図で、ケース１内に計量部Ａ１と印字部Ａ２を備え、ケース１の手前側外部に表示操作部Ａ３が一体に設けられ、更にその表示操作部Ａ３が配置された側と反対側には計量内容及び販売価格等を顧客へ提示する表示部Ａ４が支柱２を介して前記計量部Ａ１の上方に配置されている。
【００１６】
上記ケース１は、合成樹脂材及び金属材を用いて平面略矩形状で、手前側の周壁と上面が開放した箱形のケース本体１ａと、手前側の開放部に開閉可能に取り付けた前面部１ｂとで構成されている。そして、そのケース１の内部には計量部Ａ１を構成するロードセル３が該ケース１の四隅である左右の上下に1個ずつ、合計４個設置され、その４個のロードセル３の上に亘ってケース１の平面形状と略同じ大きさをした計量皿４が載置されるように構成されている。尚、上記ロードセル３の配置位置や個数は図示の形態に限定されず、任意に変更可能である。
又、ケース１内には印字部Ａ２が設けられており、表示部Ａ４に表示されたデータ（商品名、重量、値段等）をラベルに印字することができる。そして、ラベルを交換等する場合は、前面部１ｂを開動してケース１内部に配置された印字部Ａ２にアクセスするようにする。尚、印字部Ａ２へのアクセスの方式は前記方式に限定されず、装置の手前側に引き出す方式、或いは装置の左右面から引き出す方式等、何れでもよいものである。
【００１７】
表示操作部Ａ３は、平板状の筐体５に液晶タッチパネル（タッチキー部）６とテンキー（キー操作部）７等が配置されて構成され、そうした表示操作部Ａ３の上部側が前面部１ｂの外側上部に傾動調節可能に軸支されている。
液晶タッチパネル（タッチキー部）６は、液晶表示器の上面にタッチパネルが積層された形態をなし、画面をタッチすることで画面に表示された部分を選択することができ、同一面でデータ入力（商品設定など）と表示とを行なうことができる。
テンキー（キー操作部）７は、品番キー，数字キー，クリアキー，リゼロキーなどで構成され、品番キーと数字キーにより商品を選択した場合に、選択された品番に設定されている商品名や値段などが前記液晶タッチパネル（タッチキー部)６に表示される。そして、店員が品番を選択すると、該品番の商品データが前記液晶タッチパネル(タッチキー部）６と表示部Ａ３とに表示される。
【００１８】
上記表示部Ａ４は、透明表示器、例えば透明ＥＬ表示器を採用することができる。
この透明ＥＬ表示器は、二枚の透明なガラス板に挟まれた二枚の透明電極に交流パルス電圧をかけることで、該透明電極間に挟まれた発光層が発光する。つまり、透明電極間の通電によって発光表示し、通電していない時には透明な状態となる。
又、発光層としては、有機化合物により青色、緑色、黄色、赤色の発光を得ることが出来るが、有機化合物に限らず、無機化合物でもよい。（尚、透明ＥＬ表示器については、例えば特開平１０−１２５４６４号公報参照）。
【００１９】
そして、上記構成の透明ＥＬ表示器Ａ４に表示する文字，数字等は、それらの向きを設定により変えることが出来るように構成してある。
即ち、透明ＥＬ表示器Ａ４の表示は、透明なガラス板に文字，数字が表示されるので、該表示器Ａ４の表示をお客様（表面側）に対して提示した場合は、文字，数字の向きはお客様と正対する向きに表示され、店員側（裏面側）から表示された文字，数字等を見ると該文字を裏側から見ることになり、文字が反対になって見える。そこで、店員側から正常な向きでそれらの文字を見たい場合、例えば、商品データなどの設定時、或いは表示操作部Ａ３の液晶タッチパネル(タッチキー部）６に表示されているデータと比較確認する場合等は、所定のキー操作により表示文字の向きを変えることができる。
そして、特に計量装置が商品データなどを設定する設定モードになっている場合には、表示部（透明ＥＬ表示器）Ａ４に表示される文字や数字等の向きは自動的に店員と正対する向きに表示される。これにより、商品データなどの設定作業をスムーズに行うことができる。尚、表示部Ａ４は、上記した透明ＥＬ表示器に限らず、透明液晶でもよく、要は透明な表示板であればよい。
【００２０】
上記表示部Ａ４を構成する透明ＥＬ表示器は計量装置に対して支柱２で計量部Ａ１の上方に支持されている。
支柱２は、透明部材、例えばアクリル板、或いはガラス板からなる矩形平板で構成され、その支柱２は計量装置の表示操作部Ａ３が配置された側と反対側に固着した取付ボックス８の幅方向両側より鉛直方向にむけて起立する枠体９，９’間に装着され、枠体９，９’の上端には前記した表示部Ａ４を構成する透明ＥＬ表示器の支持枠１０が連結固定されている。従って、支柱２は、その周囲を取付ボックス８と枠体９，９’と支持枠１０で囲われる。
【００２１】
そして、透明部材からなる支柱２には、透視を妨げない半透明の広告情報１１が施され、その広告情報１１に着色光線を照射する照射手段１２が該支柱２の下側に配置され、着色光線の照射により前記半透明の広告情報１１が着色されて浮き上がるように構成されている。
上記支柱２に対する半透明の広告情報１１の形成は、図３及び図４（ａ）に示すようにアクリル板の厚さ方向の中程位置（内部）に、３次元レーザー加工（レーザー彫刻）で所望の広告情報１１を立体的に彫刻する。その場合の広告情報１１としては、固定の情報例えば、店舗のロゴマーク、店舗名（会社名）等が挙げられる。そして、支柱２の下方に配置した照射手段１２（ＬＥＤ）から着色光線を照射することで、前記半透明の広告情報１１は着色され、目立つように浮き上がる。尚、３次元レーザー加工（レーザー彫刻）については、特開２００３−６１８１０号公報を参照のこと。
【００２２】
上記半透明の広告情報１１の形成は、上記した３次元レーザー加工（レーザー彫刻）に限らず、下記のような方法によっても可能である。
（１）アクリル板の一側面にシルク印刷で所望の広告情報１１を形成する。そして、前記したと同様に支柱２の下方に配置した照射手段１２から着色光線を照射すると、シルク印刷された広告情報１１の箇所で光が乱反射を起こし、シルク印刷されていない側面から見ると、着色された広告情報１１が表示される（図４（ｂ）参照）。
（２）アクリル板の一側面にエッチング処理で所望の広告情報１１を形成する。エッチングとは、化学作用による腐食技法で、全体を霧氷状にしたり、艶消し状にもでき、フッ化水素と硫酸の混合液によって、必要部分を腐食させ文様を彫り出す（図４（ｂ）参照）。
（３）透明部材（ガラス板）の一側面にサンドブラストで所望の広告情報１１を形成する。サンドブラストとはガラス板の表面の必要部分に圧搾空気で砂を吹き付け食刻する。ガラス面は微粒子で細かに粗され、艶消し状になる（図４（ｂ）参照）。
【００２３】
上記照射手段１２の取付位置は、図示した支柱２の下端側に限られるものではなく、支柱２の上端側、或いは左右側端側の何れでもよい。そして、支柱２の外周縁に配置する照射手段１２は、該支柱２の周囲を囲む取付ボックス８或いは枠体９，９’、叉は支持枠１０内に収容保持され、外部に露出しないように構成されている。
【００２４】
叉、上記支柱２及び枠体９，９’は図２に示す形態に限らず、大きさ及び形状を適宜変形してもよいものである。例えば、支柱２を図２に示した形態と同様矩形状に形成し、その左右側縁を囲む枠体９，９’の外形を湾曲面に形成した形態（図５（ａ）参照）、支柱２の左右側縁を凹曲面に形成し、その左右側縁を囲む枠体９，９’も同形状に湾曲させた形態（図５（ｂ）参照）、支柱２の横幅を表示部Ａ４の横幅と略同じ幅に形成し、その左右側縁を囲む枠体９，９’を支持枠１０の幅に合せた形態（図５（ｃ）参照）等、何れでもよい。
更に、支柱２の左右側縁を囲む枠体９，９’は金属材等の不透明材でもよいが、該枠体９，９’を透明部材、例えば、樹脂製透明枠で構成してもよく、その場合は支柱及び枠体も透明となる為、枠体部分で透視部分が分断されず、視認性を更に高めることができる。
【００２５】
図６は上記した対面式計量装置の電気ブロック図で、各ブロックを制御するＣＰＵ１３にバス１４を介してＲＯＭ１５、ＲＡＭ１６、透明ＥＬ表示制御部１７、操作制御部１８、ロードセル制御部１９、印字制御部２０、ＬＥＤ制御部２１が接続されて構成されている。
上記ＣＰＵ１３は、ＲＯＭ１５の制御プログラムに従って、ＲＡＭ１６のワークエリアを用いて処理を行うことにより装置各部を制御する。叉、検知手段としても機能している。即ち、操作制御部１８を介してＣＰＵ１３に接続された表示操作部Ａ３の液晶タッチパネル（タッチキー部)６或いはテンキー（キー操作部）７が操作されることで出力される信号を検知すると、ＬＥＤ制御部２１を介して照射手段１２（ＬＥＤ）の照射を止める。また、予め設定した時間と、時計機能とによりテンキー（キー操作部）７或いは表示操作部６からの信号を所定時間の間検知しないと、再び照射手段１２（ＬＥＤ）の照射が開始される。尚、照射手段１２を構成するＬＥＤの色の種類は任意に選択し得るものである。
上記ＲＯＭ１５には、ＣＰＵ１３が実行する、予め決められた制御プログラムが記憶されている。
上記ＲＡＭ１６は複数の記憶領域を有し、各ファイルから読み出されたデータが一時的に格納される。
表示部Ａ４の透明ＥＬ表示器は、透明ＥＬ表示制御部１７を介してＣＰＵ１３と接続されており、対面販売においてお客様に購入商品の品名や値段を表示する他、計量部（秤）を使用しない時は、例えば特売情報「本日のお買い得商品」などのコマーシャルメッセージをスクロールしてお客様にアピールしてもよい。
計量部Ａ１のロードセル３は、ロードセル制御部１９を介してＣＰＵ１３に接続されている。
印字部Ａ２は、印字制御部２０を介してＣＰＵ１３に接続されている。
【００２６】
上記の如く構成した対面式計量装置は、計量部Ａ１による計量内容を表示する表示部Ａ４を支持する支柱２が透明部材で構成されているため、該計量装置を挟んで対面する店員とお客は、お互いの顔を透明の支柱２を通して確認できると共に、お客は計量部Ａ１に載せられた商品Ｗの計量作業を該支柱２を通して確認することができる。よって、お互いの間が支柱で遮られ、お互いに相手の顔或いは計量作業を確認する為に支柱２から外れた位置に顔を動かさなければならないと言った従来の不具合を解消できる。即ち、対面コミュニケーションを高めることができる。
そして、前記透明の支柱２に半透明の広告情報１１が施され、その広告情報１１に着色光線を照射手段によって照射すると、前記広告情報１１が着色されて目立つように表示される。
叉、前記透明の支柱２を表示部Ａ４と同様、透明ＥＬ表示器で構成した場合は、可変の情報を表示することができるので、例えば、特売商品の商品名と値段を含めた表示や、特定の商品についての生産者情報（今日の牛肉は国産○○○産で、○○牧場）などを表示することができる。
【００２７】
上記した実施の形態は、印字部を備えた計量装置について行ったが、本発明は印字部を持たず単に重量や値段などを表示部に表示するものでもよいものである。また、透明ＥＬ表示器を支柱２に連結する支持枠１０は金属枠に限定されず、透明な樹脂製枠としてもよく、その場合は枠の構成を表示器の四辺全周を囲む構成としても、全く遮るものが無い状態になり、表示部の存在を感じさせない開放感のある対面コミュニケーションを図ることが可能となる。
【図面の簡単な説明】
【００２８】
【図１】本発明に係る対面式計量装置の実施例を示す外観斜視図である。
【図２】（ａ）は同正面図、（ｂ）は表示部の拡大図。
【図３】同背面図
【図４】（ａ）は図３の（４）−（４）線に沿える拡大横断面図、（ｂ）は支柱に施す広告情報の他の形成方法による拡大横断面図。
【図５】（ａ）、（ｂ）、（ｃ）は支柱の変形例を示す正面図。
【図６】電気ブロック図。
【符号の説明】
【００２９】
Ａ…対面式計量装置                Ａ１…計量部
Ａ４…表示部（透明ＥＬ表示器）        ２…支柱
９，９’…枠体                          １１…広告情報
１２…照射手段（ＬＥＤ）              ａ…店員
ｂ…お客                            Ｗ…商品
【図１】
2005315796.tif 000003
【図２】
2005315796.tif 000004
【図３】
2005315796.tif 000005
【図４】
2005315796.tif 000006
【図５】
2005315796.tif 000007
【図６】
2005315796.tif 000008